(57)【要約】【課題】異なった収容容積を有する棚を懸架する収納棚を提供する。【解決手段】収容棚３１の支柱３２は、建築物の壁面から所定の距離だけ離間し、かつその壁面に沿う方向に所定の間隔をおいて配置されて連結部材により壁面に固定されるとともに、高さ方向に複数段の棚板４５ａ，４５ｂを着脱可能に支持するための棚板支持部が形成されている。棚板支持部間に着脱可能に支持された棚板４５ａ，４５ｂは、支柱３２より壁面側である後方側の奥行き寸法が一定に形成され、かつ支柱３２から壁面側とは反対である前方側への突出寸法が互いに相違して形成された複数の種類のものが用意され、それら複数の種類のものから選択された任意の棚板４５ａ，４５ｂが、支柱３２の隣り合うもの同士間に着脱可能に支持されて、その支柱３２より前方側の収容容積が複数段の棚板ごとに調整可能とされている。【選択図】図１
2006345951.tif 000002
【特許請求の範囲】
【請求項１】
建築物の壁面から所定の距離だけ離間し、かつその壁面に沿う方向に所定の間隔をおいて配置されて連結部材により前記壁面に固定されるとともに、高さ方向に複数段の棚板を着脱可能に支持するための棚板支持部が形成された複数の支柱と、
複数の支柱の隣り合うもの同士間の互いに対応する高さの前記棚板支持部間に着脱可能に支持された複数の棚板とを備え、
それら棚板は、前記支柱より前記壁面側である後方側の奥行き寸法が一定に形成され、かつ前記支柱から前記壁面側とは反対である前方側への突出寸法が互いに相違して形成された複数の種類のものが用意され、それら複数の種類のものから選択された任意の棚板が、前記支柱の隣り合うもの同士間に着脱可能に支持されて、その支柱より前方側の収容容積が複数段の棚板ごとに調整可能とされることを特徴とする収納棚。
【請求項２】
前記支柱の前記棚板支持部として、上下方向に所定の間隔を隔てて形成された挿通孔を側面に有し、
前記支柱の側面の前記挿通孔に係止されて、脱着可能に取り付けられる棚受部材を備え、
前記棚板は、前記支柱の隣り合うもの同士間の互いに対応する高さに取り付けられた前記棚受部材間に懸架される請求項１に記載の収納棚。
【請求項３】
前記棚受部材は、前記支柱の前記挿通孔に挿通されてその挿通孔を形成する前記側面に係止される係止突部を裏面に有する縦片部と、その縦片部の下端に連なる横片部とによって断面略Ｌ字状に形成された請求項２に記載の収納棚。
【請求項４】
前記棚受部材は、前記係止突部を支持部として奥行き方向において片持ち支持状に形成された請求項２または３に記載の収納棚。
【請求項５】
前記棚受部材は、前記係止突部を支持部として奥行き方向において中間支持状に形成された請求項２または３に記載の収納棚。
【請求項６】
前記棚板は、奥行き方向の前記突出寸法が所望の寸法に形成され、前記棚受部材の奥行き方向の突出寸法は、前記棚板の奥行き方向の前記突出寸法に相当する寸法に形成された請求項１ないし５のいずれか1項に記載の収納棚。
【発明の詳細な説明】
【技術分野】
【０００１】
本発明は、物品を載置する棚板が懸架された収納棚に関する。
【背景技術】
【０００２】
物品を載置するために、棚板を備える収納棚が知られている。この例として、左右に立設する一対の側板と、この側板に水平に配置される棚板及びハンガー掛部とを備える構造のクローゼットが知られている。また、前後左右に立設する複数の支柱に複数の横桟部材を取り付けてクローゼット用立体枠を組み立て、このクローゼット用立体枠に複数の棚板やバスケット等の収納部材を多段状に取り付けたり、あるいはハンガー吊下げ用バーを掛け渡す構造のクローゼットもある。
【０００３】
また支柱や棚板などを組み合わせてユーザ自身が組み立てるように構成されたシステムラック等の収納棚も知られている（例えば、特許文献１）。これらの収納棚は、棚の位置等をユーザの使用状況に合わせて変えられるものがある。
【０００４】
【特許文献１】特開２００１−１６１４５６公報
【発明の開示】
【発明が解決しようとする課題】
【０００５】
しかしながら、これら収納棚において、棚の奥行きは、一定に決められ、異なった収容容積を有する複数の棚を設置することは困難であった。本発明の課題は、異なった収容容積を有する棚を懸架する収納棚を提供することにある。
【課題を解決するための手段及び発明の効果】
【０００６】
上記課題を解決するための本発明の収納棚は、
建築物の壁面から所定の距離だけ離間し、かつその壁面に沿う方向に所定の間隔をおいて配置されて連結部材により壁面に固定されるとともに、高さ方向に複数段の棚板を着脱可能に支持するための棚板支持部が形成された複数の支柱と、
複数の支柱の隣り合うもの同士間の互いに対応する高さの棚板支持部間に着脱可能に支持された複数の棚板とを備え、
それら棚板は、支柱より壁面側である後方側の奥行き寸法が一定に形成され、かつ支柱から壁面側とは反対である前方側への突出寸法が互いに相違して形成された複数の種類のものが用意され、それら複数の種類のものから選択された任意の棚板が、支柱の隣り合うもの同士間に着脱可能に支持されて、その支柱より前方側の収容容積が複数段の棚板ごとに調整可能とされることを特徴とする。
【０００７】
上記構成によれば、後方側の奥行き寸法が一定に形成され、かつ前方側への突出寸法が互いに相違して形成された複数の種類の棚板が用意され、この棚板が棚板支持部間に着脱可能に支持されるため、所望の突出寸法を有する棚板を支柱間に支持させて、収容容積の異なる複数の棚を形成することができる。
【０００８】
上記収納棚は、支柱の棚板支持部として、上下方向に所定の間隔を隔てて形成された挿通孔を側面に有し、
支柱の側面の挿通孔に係止されて、脱着可能に取り付けられる棚受部材を備え、
棚板は、支柱の隣り合うもの同士間の互いに対応する高さに取り付けられた棚受部材間に懸架されるように構成することができる。
【０００９】
上記構成によれば、収納棚の支柱は、棚板支持部として、挿通孔を有することから、この挿通孔に棚板部材を係止することにより、棚板部材を支柱に取り付けることができる。そして、その棚板部材を介して棚板を隣り合う支柱間に懸架することができる。
【００１０】
棚受部材は、支柱の挿通孔に挿通されてその挿通孔を形成する側面に係止される係止突部を裏面に有する縦片部と、その縦片部の下端に連なる横片部とによって断面略Ｌ字状に形成することができる。上記構成の棚受部材は、支柱の挿通孔に容易に取り付け可能であり、支柱に取り付けられた棚受部材に棚板を懸架することができる。
【００１１】
棚受部材は、係止突部を支持部として奥行き方向において片持ち支持状に形成することができる。すなわち、支柱から後方側へ突出し、支柱から前方側へは、突出しないように棚受部材を形成する。このような棚受部材は、支柱から前方側へ突出しないため、収納棚を省スペースに設置することができる。
【００１２】
棚受部材は、係止突部を支持部として奥行き方向において中間支持状に形成することができる。すなわち、支柱から後方側へ突出するとともに、支柱から前方側へも突出するように棚受部材を形成する。このような棚受部材は、奥行き方向の寸法が長いため、比較的大きな物品を載置することのできる棚板を懸架することができる。
【００１３】
棚板は、奥行き方向の寸法が所望の突出寸法に形成され、棚受部材の奥行き方向の突出寸法は、棚板の奥行き方向の突出寸法に相当する寸法に形成する。棚板と棚受部材の奥行き方向の寸法が同じに形成されることから、棚板を棚受部材に安定して懸架することができる。
【発明を実施するための最良の形態】
【００１４】
以下図面を参照しつつ本発明の実施の形態について説明する。収納棚の一実施形態を図１に示す。収納棚３１は、建築物の壁面に沿って形成されて設置されており、複数の支柱３２と、それぞれの支柱３２の上方に取り付けられた天板設置部材４１と、その天板設置部材４１によって支柱間に懸架された天板４２とを含む。
【００１５】
支柱３２は、建築物の壁面から所定の距離だけ離間し、その壁面に沿う方向に所定の間隔をおいて配置されている。壁面の所定の高さにはレール４８が固定され、先端部に連結固定部材４１ａを有する天板設置部材４１が支柱３２に取り付けられて、その連結固定部材４１ａが壁面に固定され、支柱３２の底面が床面に固定されて、壁面から所定の距離離れた位置に支柱２が立設されている。
【００１６】
支柱３２の下端には、貫通孔が形成されたベース部材５１が備えられており、貫通孔にアンカーボルトを挿入して支柱をアンカー止めしている。また支柱３２の下端近傍にアジャスタ部４４が形成されており、アジャスタ部４４のナットを回転させることにより、支柱の高さを調整することができる。
【００１７】
収納棚３１の支柱３２には、バー４６が取り付けられ、さらにそのバー４６にハンガー掛け４７が取り付けられている。支柱３２には、棚板４５が棚受部材５を介して取り付けられている。
【００１８】
収納棚３１には、奥行きの異なった棚受部材５ａ，５ｂが取り付けられ、奥行きの異なった棚板４５ａ，４５ｂが懸架されている。図２に収納棚３１の側面図を示す。図の右側が建築物（例えば、室内）の壁面５２である。収納棚３１は、壁面５２から所定の場所に支柱３２が立設され、先端に連結固定部材４１ａを有し支柱３２に取り付けられた天板設置部材４１によって、支柱３２が壁面に対して固定されている。天板設置部材４１に載置された天板４２は、壁面５２に取り付けられたレール４８に嵌合されて、天板４２が天板設置部材４１とレール４８とにまたがって載置され、収納棚３１は安定性がよい構成となっている。そして奥行きの異なった棚受部材５ａ，５ｂを介して支柱３２間に奥行きの異なった棚板４５ａ，４５ｂが懸架されている。棚受部材５ａ，５ｂは、支柱３２の挿通孔３５に挿通されてその挿通孔３５を形成する側面に係止される第１係止突部１５，第２棚受係止突部１６を支持部として、片持ち状または中間支持状に形成されている。つまり棚受部材５ａ，５ｂは、支柱３２から壁面５２方向への寸法が一定に形成され、支柱３２から壁面方向とは反対の前方方向への寸法が所望の寸法として形成されており、この棚受部材５の奥行きに相当する奥行きを有する棚板４５が懸架されている。
【００１９】
図３を用いて棚受部材及び棚板を説明する。図３に示すように、収納棚３１の支柱３２は、側面の中央に、上下方向に沿って所定の間隔をあけて複数の挿通孔３５が穿設され、その両側に上下方向に沿ってガイド溝３６が形成されている。そして、支柱３２の側面の所望の高さの挿通孔３５に棚受部材５ａが係止され、その棚受部材５ａに棚板４１が載置されて、棚板４１と棚受部材５ａとを抑える押えカバー２１が取り付けられる。この棚受部材５ａは、第１棚受係止突部１５、第２棚受係止突部１６を支持部として中間支持状に形成されている。押えカバー２１の裏面に形成された固定突起部２８は、挿通孔３５を形成する上側壁部３７ａの壁面３８に当接して（図１０参照）、棚受部材５ａ及び棚板４５ａが支柱３２から外れることを防ぐ。このようにして、棚受部材５ａを介して支柱３２に懸架された棚板４１に物品を載置することができる。
【００２０】
図４に示すように、支柱３２の側面に沿って取り付けられる縦片部６と棚板４５を載置する横片部７とが、支柱から壁面方向にのみ形成されている棚受部材５ｂを使用することにより、奥行きの長さが短い棚板４５ｂを懸架することもできる。この棚受部材５ｂは、第１棚受係止突部１５、第２棚受係止突部１６を支持部として片持ち支持状に形成されている。このように、奥行き方向の寸法（突出寸法）が異なる棚受部材を使用することにより、奥行き方向の寸法が異なる棚板４５ｂを支柱３２間に懸架することができる。
【００２１】
図５（ａ）に棚受部材５ａ，５ｂの裏面の要部、図５（ｂ）に図５（ａ）のＡ−Ａ断面図を示す。棚受部材５ａ，５ｂは、支柱３２の側面に沿って取り付けられる縦片部６と棚板４５ａ，４５ｂを載置する横片部７とによって断面略Ｌ字状に形成されている。そして縦片部６の裏面には、支柱３２の挿通孔３５に挿通され棚受部材５が支柱３２に係止されるための第１棚受係止突部１５、第２棚受係止突部１６が裏面から突出して形成されている。第１棚受係止突部１５は、先端部に突出方向垂直にフランジ部１５ａが突出形成されている。第１棚受係止突部１５の上方側には、第１挿入孔１１が形成されている。第１挿入孔１１は、固定突起挿入孔であり、押えカバー２１の固定突起部２８が挿入される。さらに第１棚受係止突部１５の両側には、それぞれガイド突部９が裏面から突出する形で形成されている。ガイド突部９が、支柱３２のガイド溝３６に挿入されることにより、棚受部材５の横方向の傾きを防止することができる。
【００２２】
ガイド突部９に隣接して第２挿入孔１２が形成されている。第２挿入孔１２には、カバー係止突部挿入孔であり、押えカバー２１のカバー係止突部２４が係止される。
【００２３】
図６に押えカバー２１の裏面を示す。押えカバー２１は、棚受部材５ａ，５ｂに沿って取り付けられるカバー本体部２２と棚板４５を押える棚板押え部２３とによって断面略Ｌ字状に形成されている。カバー本体部２２の裏面側には、棚受部材５ａ，５ｂの第１挿入孔１１及び支柱３２の挿通孔３５に嵌合する形状に固定突起部２８が形成されている。カバー本体部２２の棚受部材５ａ，５ｂの第２挿入孔１２（図５参照）に対応する位置に、カバー係止突部２４が、爪状に突出形成されている。このように押えカバー２１の両端部領域の２箇所にカバー係止突部２４を形成することにより、棚受部材５ａ，５ｂの第２挿入孔１２にカバー係止突部２４を挿入して押えカバー２１を棚受部材５ａ，５ｂに取り付けることができる。
【００２４】
図７に棚板取付構造１の正面図を示す。図７に示すように、支柱３２の挿通孔３５に棚受部材５ａの第１棚受係止突部１５、第２棚受係止突部１６が係止され、ガイド突部９がガイド溝３６に嵌る形で棚受部材５ａが支柱３２に取り付けられている。ガイド突部９がガイド溝３６に嵌ることにより、棚受部材５ａの傾きを防止することができる。
【００２５】
図７における支柱のＢ−Ｂ断面図を図８に示す。支柱３２は、側面に長手方向に開口４０ａが形成され、開口４０ａの内部には、側板配置部４０ｂと係止用空間形成部４０ｃとが形成されている。側板配置部４０ｂには、挿通孔３５が形成された側板３９が嵌合されている。また側面の両端部には、上下方向にガイド溝３６が形成されている。このガイド溝３６に、棚受取付部材５ａのガイド突部９が嵌ることにより棚受部材５ａの傾きを防ぐことができる。
【００２６】
図９に側板３９を示す。側板３９には、円形状挿通孔３５ａと、円形状挿通孔３５に連なり、円形状挿通孔３５側が幅広に、他端が幅狭に形成された長手状挿通孔３５ｂとによって構成される挿通孔３５が形成されている。また、側板３９には、ねじ孔５５が形成され、側板３９を支柱３２の側板配置部４０ｂに配置して、ねじによって固定することができる。棚受部材５ａ，５ｂの第１棚受係止突部１５及び第２棚受係止突部１６を円形状挿通孔３５ａ側から挿通させて、長手状挿通孔３５ｂの幅狭に形成された方の端部へスライドさせることによって、第１棚受係止突部１５及び第２棚受係止突部１６が側板３９に係止される。
【００２７】
図１０を用いて、棚板取付構造１における棚板４５ａ，４５ｂの取付工程について説明する。図１０は、図７におけるＣ−Ｃ断面図である。図１０（ａ）に示すように支柱３２（側板３９）の側面３２ｓに形成された挿通孔３５に、棚受部材５ａ，５ｂの裏面に形成された第１棚受係止突部１５、第２棚受係止突部１６を挿通する。第１棚受係止突部１５は、円形状挿通孔３５ａ側から挿通され、図１０（ｂ）に示すように、棚受部材５を下方へスライドさせる。長手状挿通孔３５ｂは、下方が幅が狭く形成されているため、第１棚受係止突部１５の先端部のフランジ部１５ａが側板３９によって係止される。このとき縦片部６は、側面３２ｓに密着して取り付けられる。次に、図１０（ｃ）に示すように、棚受部材５ａ，５ｂの横片部７に棚板４５を載置する。
【００２８】
続いて図１０（ｄ）に示すように、押えカバー２１のカバー係止突部２４を棚受部材５の第２挿入孔１２に挿入して棚受部材５ａ，５ｂに引っ掛ける形態で棚受部材５に取り付ける。このとき棚受部材５ａ，５ｂのガイド突部９（図５参照）が、支柱３２のガイド溝３６に嵌ることになり、棚受部材５ａ，５ｂの横方向の傾きが押えられる。さらに、押えカバー２１のカバー本体部２２の裏面によって棚受部材５が押えられ、固定突起部２８の先端は、支柱３２（側板３９）の挿通孔３５を形成する上側壁部３７ａの壁面３８に当接するため、棚受部材５の棚受係止突部８が下側壁部３７ｂから外れることを防ぐことができる。さらに押えカバー２１の棚板押え部２３によって棚板４５ａ，４５ｂを押えることができ、棚板４５ａ，４５ｂが棚受部材５ａ，５ｂから外れること防ぐことができる。
【００２９】
図１１に支柱の棚板支持部が突出部として形成された実施例を示す。支柱３２の壁面に棚受突部５３が上下方向に複数、壁面から突出して形成されており、その棚受突部５３に棚板４５ａが懸架されている。棚板支持部は、前述のように挿通孔３５として形成してもよいし、このように係止突出部として形成してもよい。また、棚受部材５ａ，５ｂを介して棚板４５ａ，４５ｂが支柱３２巻に懸架されるように構成してもよいし、このように棚受部材５ａ，５ｂを介さずに、直接棚板を取り付けられる構造としてもよい。
【００３０】
以上のように、奥行き方向の相違する複数種類の棚板４５ａ，４５ｂが用意され、支柱３２の隣り合うもの同士に着脱可能に支持されることにより、本発明の収納棚は、支柱３２より前方側の収納容積が複数段の棚板４５ａ，４５ｂごとに調整することが可能とされる。
【図面の簡単な説明】
【００３１】
【図１】本発明の一実施形態としての収納棚の斜視図。
【図２】収納棚の側面図。
【図３】棚板取付構造を示す図。
【図４】他の棚板取付構造を示す図。
【図５】棚受部材を示す図。
【図６】押えカバーを示す図。
【図７】棚板取付構造の正面図。
【図８】支柱の断面図。
【図９】側板に形成される挿通孔を示す図。
【図１０】棚板の取付工程を説明する図。
【図１１】棚板支持部が突出部として形成された実施例を示す図。
【符号の説明】
【００３２】
５ａ，５ｂ  棚受部材
１５  第１棚受係止突部
１６  第２棚受係止突部
３１  収容棚
３２  支柱
３５  挿通孔
４５ａ，４５ｂ  棚板
４８  レール
４９  支柱固定部材
５２  壁面
【図１】
2006345951.tif 000003
【図２】
2006345951.tif 000004
【図３】
2006345951.tif 000005
【図４】
2006345951.tif 000006
【図５】
2006345951.tif 000007
【図６】
2006345951.tif 000008
【図７】
2006345951.tif 000009
【図８】
2006345951.tif 000010
【図９】
2006345951.tif 000011
【図１０】
2006345951.tif 000012
【図１１】
2006345951.tif 000013